(57)【要約】【課題】端末機の入れ替えまたは他社に加入しなくても、他社の移動通信サービスを提供することができる方法及びその装置を提供する。【解決手段】移動通信サービス提供システムは、使用者端末機（５００ａ，５００ｂ）、基地局（５０５ａ，５０５ｂ）、移動通信サービス提供サーバー（５２０）及び無線ウェブサーバー（５４０）を含む。使用者端末機（５００ａ，５００ｂ）は、他社使用者端末機（５００ａ）及び自社使用者端末機（５００ｂ）を含む。他社使用者端末機（５００ａ）は、他社基地局（５０５ａ）、他社移動通信網（５１０ａ）及び他社加入者無線接続ゲートウェー（５２４）を経て自社の無線接続ゲートウェー（５２６）に接続することができる。自社無線接続ゲートウェー（５２６）に接続した使用者端末機（５００ａ，５００ｂ）は、自社の無線ウェブサーバー（５４０）に接続して多様な無線ウェブサービスが提供される。【選択図】図５
2008263618.tif 000002
【特許請求の範囲】
【請求項１】
第１移動通信サービスシステムに含まれている移動通信サービス提供サーバーから、仮想番号を利用して他社モバイル端末機に移動通信サービスを提供する方法であって、
第２移動通信サービスシステムから仮想番号及び接続要請信号を受信する段階−ここで、仮想番号は、上記第２移動通信サービスシステムに相応するように設定された他社モバイル端末機の番号情報に対して設定された番号情報であって、上記他社モバイル端末機は、上記第２移動通信サービスシステムに相応するモバイル端末機であり、上記接続要請信号は他社モバイル端末機から第２移動通信サービスシステムに伝送された任意の無線ウェブサーバーへの接続要請信号であって、上記無線ウェブサーバーは上記第１移動通信サービスシステムに相応する無線ウェブサーバーである−；
上記仮想番号を利用して、上記無線ウェブサーバーに接続する段階；
上記無線ウェブサーバーから、上記無線ウェブサーバーから提供されるサービスデータを受信する段階；及び
上記サービスデータを上記第２移動通信サービスシステムに伝送する段階を含むが、
上記第２移動通信サービスシステムは、上記他社モバイル端末機の番号情報に相応するようにマッピングされた上記仮想番号を抽出して上記接続要請信号とともに上記第１移動通信サービスシステムに伝送するし、上記仮想番号に相応するようにマッピングされた上記他社モバイル端末機の番号情報を抽出して上記サービスデータを上記他社モバイル端末機に伝送することを特徴とする移動通信サービス提供方法。
【請求項２】
請求項１において、
上記仮想番号を利用して、上記サービスデータに相応して上記他社モバイル端末機に課金する段階がともに含まれることを特徴とする移動通信サービス提供方法。
【請求項３】
請求項１及び請求項２のうちある一項において、
上記仮想番号は仮想ＭＩＮ及びＥＳＮの中の少なくとも仮想ＭＩＮを含んでいて、
上記ＥＳＮは、実際ＥＳＮ及び仮想ＥＳＮのうち一つであることを特徴とする移動通信サービス提供方法。
【請求項４】
請求項１において、
上記移動通信サービス提供サーバーまたは上記第２移動通信サービスシステムは、上記他社モバイル端末機から上記他社番号を含む仮想番号要請信号が受信されれば、ＥＳＮ提供サーバーに上記他社番号に相応するＥＳＮを要請して、上記ＥＳＮ提供サーバーからＥＳＮが受信されれば上記ＥＳＮに相応する仮想ＭＩＮを割り当てて、上記ＥＳＮ及び上記仮想ＭＩＮを保存することを特徴とする移動通信サービス提供方法。
【請求項５】
仮想番号を利用して第１移動通信サービスシステムに相応する移動通信サービスを提供する第２移動通信サービスシステムに含まれている装置において、
上記第２移動通信サービスシステムに相応するモバイル端末機に仮想番号を提供するための仮想番号提供部；
上記仮想番号提供部に繋がれていて、上記モバイル端末機に相応する仮想番号及び顧客情報のうち少なくとも一つを管理するための仮想情報データベース；及び
上記仮想番号提供部に繋がれていて、上記モバイル端末機から、上記移動通信サービスを提供してもらうための任意の無線ウェブサーバーへの接続要請信号が受信されれば、上記モバイル端末機に相応する上記仮想番号をマッピングして抽出して、上記仮想番号と上記接続要請信号とを上記第１移動通信サービスシステムに伝送するし、上記第１移動通信サービスシステムから受信された上記接続要請信号に相応するサービスデータを上記モバイル端末機に伝送する無線接続ゲートウェーを含むことを特徴とする移動通信サービス提供装置。
【請求項６】
請求項５において、
上記第１移動通信サービスシステムは、上記サービスデータに対する課金を上記仮想番号に相応して遂行することを特徴とする移動通信サービス提供装置。
【発明の詳細な説明】
【技術分野】
【０００１】
本発明は、仮想番号を利用して他社加入者に自社加入者と等しい移動通信サービスを提供して、上記サービス提供に対する課金を遂行することができる方法及びその装置に関するものである。
【背景技術】
【０００２】
既存の移動通信社から移動通信サービスを提供する場合、自社加入者に限ってこのようなサービスを提供することが一般的であって、電話番号などによる加入者識別番号を利用して自社加入者であることが確認された場合に限ってこのようなサービスを提供している。すなわち、自社の端末機を所持していて、加入者として電話番号のような加入者識別番号を与えてもらった顧客に限って移動通信サービスを提供している。
【特許文献１】米国特許第６１６３５９７号明細書
【特許文献２】特開平１０−９８７７２号公報
【発明の開示】
【発明が解決しようとする課題】
【０００３】
例えば、短文メッセージサービスを基準として説明すれば、次のとおりである。端末機を所持していない移動通信加入者または非加入者は、他社有線インターネットサイトに接続しても、他社から提供される短文メッセージサービスを利用することができない問題点がある。
【０００４】
また、専用線によるシステムの間の連動を通じて発送する企業型短文メッセージサービスにおいても、連動を願う事業主体はただ課金の問題のために他社の端末機を購入及び加入しなければならない問題が発生する。
【０００５】
また、既存の移動通信社において、必ず自社加入顧客に限って移動通信サービスを提供する方式は、新規顧客確保の前提条件として加入者が自社端末機を所持していなければならないので、新規顧客を確保するのに困難がある。
【０００６】
そして加入者の立場では、移動通信社ごとに提供する移動通信サービスが相異なっているので、他社から提供する移動通信サービスを利用したいが、端末機を入れ替って他社に加入しなくてはこのようなサービスを利用するのが不可能であるという問題点がある。
【０００７】
したがって、本発明は、上記のいろいろな問題点を解決するために案出したもので、仮想番号を利用して他社加入者に自社加入者と等しい移動通信サービスを提供して、上記サービス提供に対する課金を遂行することができる方法及びその装置に関するものである。
【０００８】
本発明の別の目的は、端末機の入れ替えまたは他社に加入しなくても、他社の移動通信サービスを提供することができる方法及びその装置を提供することである。したがって、使用者は、端末機を購入しなくても加入によって移動通信サービスを提供してもらえるし、移動通信社は、顧客確保に容易になって売上げの増大を通じる収益構造を改善することができる。
【０００９】
本発明のまた別の目的は、他社端末機所持者に対して仮想番号を付与する方法及びその装置を提供することである。
【発明の効果】
【００１０】
このような目的を果たすために、本発明の一側面によれば、仮想番号を利用して他社加入者または端末機非所持者などを含む非加入者に対して、移動通信サービスを提供することができる移動通信サービスの提供方法が開示される。
【００１１】
本発明の望ましい別の実施例によれば、第１移動通信サービスシステムに含まれている移動通信サービスの提供サーバーからの仮想番号を利用して他社モバイル端末機に移動通信サービスを提供する方法は、第２移動通信サービスシステムから仮想番号及び接続要請信号を受信する段階−ここで、仮想番号とは、上記第２移動通信サービスシステムに相応するように設定された他社モバイル端末機の番号情報に対して設定された番号情報であって、上記他社モバイル端末機とは、上記第２移動通信サービスシステムに相応するモバイル端末機であり、上記接続要請信号とは、他社モバイル端末機から第２移動通信サービスシステムに伝送された任意の無線ウェブサーバーへの接続要請信号であって、上記無線ウェブサーバーとは、上記第１移動通信サービスシステムに相応する無線ウェブサーバーである−；上記仮想番号を利用して、上記無線ウェブサーバーに接続する段階；上記無線ウェブサーバーから、上記無線ウェブサーバーから提供されるサービスデータを受信する段階；及び上記サービスデータを上記第２移動通信サービスシステムに伝送する段階を含むことができる。ここで、上記第２移動通信サービスシステムは、上記他社モバイル端末機の番号情報に相応するようにマッピングされた上記仮想番号を抽出して、上記接続要請信号とともに上記第１移動通信サービスシステムに伝送するし、上記仮想番号に相応するようにマッピングされた上記他社モバイル端末機の番号情報を抽出して、上記サービスデータを上記他社モバイル端末機に伝送することができる。また、上記方法は、上記仮想番号を利用して上記サービスデータに相応するように上記他社モバイル端末機に課金する段階をともに含むことができる。また、上記移動通信サービスの提供サーバーまたは上記第２移動通信サービスシステムは、上記他社モバイル端末機から、上記他社番号を含む仮想番号要請信号が受信されれば、ＥＳＮ(Electronic Serial Number)提供サーバーに上記他社番号に相応するＥＳＮを要請して、上記ＥＳＮ提供サーバーからＥＳＮが受信されれば、上記ＥＳＮに相応する仮想ＭＩＮ(Mobile Identification Number)を割り当てて、上記ＥＳＮ及び上記仮想ＭＩＮを保存することができる。
【００１２】
上述した目的を果たすため、本発明の別の側面によれば、仮想番号を利用して他社加入者または端末機非所持者などを含む非加入者に対して、移動通信サービスを提供することができる移動通信サービス提供装置が提供される。
【００１３】
本発明の望ましい別の実施例によれば、仮想番号を利用して第１移動通信サービスシステムに相応する移動通信サービスを提供する第２移動通信サービスシステムに含まれている装置は、上記第２移動通信サービスシステムに相応するモバイル端末機に仮想番号を提供するための仮想番号提供部；上記仮想番号提供部に繋がれていて、上記モバイル端末機に相応する仮想番号及び顧客情報の中の少なくとも一つを管理するための仮想情報データベース；及び上記仮想番号提供部に繋がれていて、上記モバイル端末機から、上記移動通信サービスを提供してもらうための任意の無線ウェブサーバーへの接続要請信号が受信されれば、上記モバイル端末機に相応する上記仮想番号をマッピングして抽出するし、上記仮想番号と上記接続要請信号を上記第１移動通信サービスシステムに伝送して、上記第１移動通信サービスシステムから受信される上記接続要請信号に相応するサービスデータを、上記モバイル端末機に伝送する無線接続ゲートウェーを含むことができる。ここで、上記第１移動通信サービスシステムは、上記サービスデータに対する課金を上記仮想番号に相応して遂行することができる。
【００１４】
上述した目的を果たすために、本発明の別の側面によれば、仮想番号を利用して他社加入者または端末機非所持者などを含む非加入者に対して、移動通信サービスを提供することができる移動通信サービス提供装置が開示される。
【００１５】
望ましい別の実施例によれば、仮想番号を利用して他社モバイル端末機に移動通信サービスを提供する装置は、他社移動通信加入者に相応して他社番号が付与された他社モバイル端末機に仮想番号を提供するための仮想番号提供部、上記仮想番号提供部に繋がれていて、上記使用者に相応する仮想番号及び顧客情報の中の少なくとも一つを管理するための仮想情報データベース、上記仮想番号提供部に繋がれていて、上記他社番号及び仮想番号をマッピングして、上記仮想番号を利用して自社無線接続ゲートウェーに接続して、上記他社番号を通じて自社無線接続ゲートウェーから受信したデータを上記他社モバイル端末機に送信するための他社無線接続ゲートウェー及び、上記他社無線接続ゲートウェーに繋がれていて、上記他社モバイル端末機を、接続を願う無線ウェブサーバーと接続させるための自社無線接続ゲートウェーを含むことができる。
【００１６】
ここで、上記自社無線接続ゲートウェーは、上記無線ウェブサーバーから提供されるサービスに相応して、上記他社モバイル端末機に課金するための課金部を含むことができる。
【発明を実施するための最良の形態】
【００１７】
本発明は、仮想番号を利用して他社加入者に自社加入者と等しい移動通信サービスを提供するし、上記サービス提供に対する課金を遂行することができる方法及びその装置に関するものである。ここで、移動通信サービスは音声通話サービスだけではなく、メッセージ送信サービス、通話連結音（音楽、多様な音など）サービスなどのすべての付加サービスを含むことができる。
【００１８】
本発明による仮想番号を利用したサービス提供方法は、有線網を通じて接続した使用者に仮想番号を利用して移動通信サービスを提供する第１実施例と、無線網を通じて他社移動通信網により接続した他社端末機に移動通信サービスを提供する第２実施例に仕分けられる。
【００１９】
以下、本発明の実施例による仮想番号を利用した移動通信サービス提供方法及びその装置について添付した図面を参照して詳しく説明することにするが、添付の図面を参照して説明することにおいて、図面符号に関係なく、同一または対応する構成要素は同一の参照番号を付与して、これに対して重複される説明は略することにする。また、本明細書で使う第１、第２、自社、他社などの用語は、類似の構成要素たちの仕分けを容易にするためのことに過ぎない。
【００２０】
第１実施例
既存の有線通信網を通じて接続した使用者に移動通信サービスを提供する場合、自社加入者に限ってこのようなサービスを提供することが一般的である。
【００２１】
移動通信社ごとに提供する移動通信サービスが相異なっているので、他社から提供する移動通信サービスを利用したいが、端末機を入れ替って他社に加入しなくてはこのようなサービスを利用するのが不可能である。
【００２２】
本発明によれば、端末機の入れ替えまたは他社に加入しなくても、他社の移動通信サービスを仮想番号をもつ加入者（以下では説明のため、他社加入者という）が、利用することができる。以下、添付図面を参照して本発明による望ましい第１実施例を詳しく説明することとする。
【００２３】
図１は、本発明の望ましい第１実施例による仮想番号を利用した移動通信サービス提供システムを示した図面である。
本発明の第１実施例において、仮想番号とは仮想加入者識別番号(mobile identification number, MIN)を指称する。
【００２４】
本発明の実施例において、上記ＭＩＮ番号は端末機に割り当てられた１０桁電話番号をデジタルで表示する３４ビットの数字であり、上記ＭＩＮ番号はＭＩＮ１とＭＩＮ２から成り立つ。ＭＩＮ１は、端末機に割り当てられた７個ディジットの電話番号であって２４個ビットで構成されており、ＭＩＮ２は３個ディジットの地域番号であって１０個のビットで構成されることができる。０１６−ＹＹＹ−ＸＸＸＸの場合、ＭＩＮ１はＹＹＹ−ＸＸＸＸであり、ＭＩＮ２は０１６を示す。
【００２５】
しかし、本発明による仮想番号が前記のＭＩＮ番号体系に限定されるのではなく、ＭＩＮ番号体系の変動に相応して、本発明による仮想ＭＩＮ番号体系を異にして構成することができるということは勿論である。
【００２６】
図１を参照すれば、本発明の第１実施例による仮想番号を利用した移動通信サービス提供システムは、使用者端末機（１００）、移動通信サービス提供サーバー（１２０）、基地局（１４０）及び着信端末機（１５０）を含んでおり、使用者端末機（１００）、移動通信サービス提供サーバー（１２０）及び基地局（１４０）はネットワーク（１１０）を通じて繋がれている。
【００２７】
移動通信サービス提供サーバー（１２０）は、仮想番号提供部（１２２）、課金部（１２４）及びサービス提供部（１２６）を含んで構成される。
仮想番号提供部（１２２）は、仮想番号を申し受けるのを願う使用者に、本発明による仮想番号をあらかじめ設定された認証方法を通じて提供する。ここで、仮想番号は、実際使用者が使う加入者識別番号、すなわち、ＭＩＮと等しいフォーマットを持つ仮想番号を指称する。
【００２８】
課金部（１２４）は、仮想番号を申し受けた使用者に相応する顧客情報を利用して、提供してもらったサービスに対する課金を遂行するし、仮想番号と顧客情報をマッピングする機能を遂行する。
【００２９】
サービス提供部（１２６）は、仮想番号を申し受けて、有線ネットワークを通じて接続した使用者にあらかじめ設定された移動通信サービスを提供する機能を遂行するし、上記サービスは、短文メッセージのようなメッセージ送信サービス、初期画面提供サービスなどを含むことができる。
【００３０】
そして、移動通信サービス提供サーバー（１２０）は、上記移動通信サービス提供サーバー（１２０）に繋がれている仮想番号データベース（１２５）を具備しているし、上記仮想番号データベース（１２５）は、割り当てられた仮想番号及び仮想番号に相応する顧客情報を含んでいる（図４参照）。
【００３１】
以下、上記使用者端末機（１００）及びモバイル端末機（１５０）の区別のため、上記使用者端末機（１００）をターミナルと混用して使うことにし、仕分けが必要な場合にはターミナルと使うことにする。
【００３２】
図２は、本発明の望ましい第１実施例による移動通信サービス提供手続きを示した図面である。
以下、図２を参照して本発明による移動通信サービス提供手続きを説明すれば次のとおりである。
【００３３】
段階Ｓ２００で、使用者が使用者端末機を通じて移動通信サービス提供サーバー（１２０）に接続してサービスを要請すれば、段階Ｓ２０５で、移動通信サービス提供サーバー（１２０）は、上記使用者が自社加入者であるか否かを判断する。
【００３４】
判断結果、自社端末機を所持した加入者であれば、段階Ｓ２１５以後で、既存のサービス提供手続きと等しい方式でサービスを提供するし、上記サービス提供に相応する課金を遂行する。
【００３５】
そして、判断結果、自社端末機の所持者ではない場合、仮想番号を要請して上記使用者が仮想番号を通じる加入者であることを識別する。そして、段階Ｓ２１５で、仮想番号を利用して既存の端末機所持者と等しい方式でサービスを提供する。そして、段階Ｓ２２０で、上記仮想番号を基準にして提供したサービスに対する課金を遂行する。本発明による移動通信サービス提供サーバーは、仮想番号を付与する際、仮想番号に相応する顧客情報をあらかじめ具備しているし、上記仮想番号に対する課金は上記仮想番号に相応する顧客情報を利用して実質的に遂行される。以下、本発明の実施例による仮想番号提供手続きを説明することとする。
【００３６】
図３は、本発明の望ましい第１実施例による仮想番号提供手続きを示した図面である。
本発明による他社加入者または端末機非所持者に対して移動通信サービスを提供するためには、仮想番号提供を通じる認証手続きが先行されなければならない。仮想番号付与を通じる顧客加入手続きは、オフラインの加入または、既存の顧客情報を持っている移動通信社間の契約による方法などを含んでおるが、以下では、移動通信サービス提供サーバー（１２０）に接続した端末機を通じる仮想番号提供方法について図３を参照して詳しく説明することにする。
【００３７】
段階Ｓ３００で、端末機が移動通信サービス提供サーバー（１２０）に仮想番号を要請すれば、段階Ｓ３０５で、移動通信サービス提供サーバー（１２０）は端末機に顧客情報を要請する。そして段階Ｓ３１０で、端末機は使用者から顧客情報を入力してもらって、段階Ｓ３１５で、入力してもらった顧客情報を移動通信サービス提供サーバー（１２０）に送信する。
【００３８】
段階Ｓ３２０で、移動通信サービス提供サーバー（１２０）は上記顧客情報を利用して新規顧客として加入することと同時に、上記移動通信社に割り当てられた番号の中から使わない番号のうち一つの番号を選定して仮想番号として割り当てることができる。
【００３９】
ここで、顧客情報を利用した厳格な加入手続きを通さなくて、単純に課金のための情報のみを算出するように構成することもできる。すなわち、顧客情報のうち単純に他社端末機電話番号のみを受信して、上記他社端末機電話番号で課金認証のための認証番号を送信した後、上記仮想番号割り当ての際、端末機から受信した上記認証番号を利用して端末機所持者であることを確認してから、仮想番号を割り当てるように構成することができる。ここで、受信した認証情報をまた送信することで、認証手続きを遂行するように構成したが、上記認証情報に相応する回答信号の送信により認証手続きを遂行するように構成することもできるということは勿論である。上記回答信号とは、認証情報であることもできるし、上記認証情報に相応する別の情報であることもできる。
【００４０】
段階Ｓ３２５で、移動通信サービス提供サーバー（１２０）は、割り当てた仮想番号を端末機に送信すれば、段階Ｓ３３０で、端末機は受信した仮想番号を端末機に表示することができる。
【００４１】
図４は、本発明の望ましい第１実施例による仮想番号テーブルを示した図面である。
本発明において、仮想番号データベース（１２５）は、移動通信サービス提供サーバー（１２０）に繋がれていて、割り当てられた仮想番号及び仮想番号に相応する顧客情報を含んでいる。
【００４２】
図４を参照すれば、仮想番号テーブルは仕分けの項目（４００）、仮想番号項目（４０５）及び顧客情報項目（４１０）を含むことができる。
【００４３】
仕分けの項目（４００）は、上記加入者が自社端末機を所持した実加入者であるか、それとも単純に仮想番号のみ与えられた加入者であるかを示す項目である。図４による実施例によれば、仮想番号テーブルが実加入者に対する情報も含むように構成されているが、上記仕分けの項目（４００）を含まないで、仮想番号加入者に対する情報のみを含むように構成することができるのは勿論である。
【００４４】
仮想番号項目（４０５）は、移動通信サービス提供サーバー（１２０）から割り当てられた仮想番号に対する情報を含んでいるが、本発明の第１実施例において上記仮想番号とはＭＩＮ番号を指称する。
【００４５】
顧客情報項目（４１０）は、仮想番号を利用して加入した顧客に対する情報を含んでいる。ここで、顧客情報とは名前、住民登録番号、住所、課金情報、他社加入者ＭＩＮ番号などを含むことができる。
【００４６】
第２実施例
既存の移動通信社では、無線サービスを利用するにおいて他社サービスには接続さえできないように構成されているので、他社サービスを使いたくてもまったく方法がない。しかし本発明によれば、端末機を所持した移動通信加入者は、他社移動通信網に接続して他社から提供される移動通信サービスを提供してもらうことができる。
【００４７】
このような他社移動通信サービスの提供を通じて、端末機の購買なしに加入者を確保することができるし、サービス提供による課金で売上げ増大に寄与することができる。
【００４８】
以下、添付の図面を参照して本発明による望ましい第２実施例に対して詳しく説明することにする。
【００４９】
図５は、本発明の望ましい第２実施例による仮想番号を利用した移動通信サービス提供システムを示した図面である。
本発明の第２実施例によれば、仮想番号は、仮想加入者識別番号(mobile identification number, MIN)を含んでおり、装置の一連番号(electronic serial number, ESN)をともに含むことができる。ここで、上記装置の一連番号とは移動局装置の有利な識別のために移動局製造者が割り当てる３２ビットの番号を指称する。
【００５０】
本発明の第２実施例による無線通信環境のシステムは、場合によってＭＩＮ番号のみを利用して認証する場合もあるし、ＭＩＮ番号とＥＳＮ番号を利用して認証する場合もある。したがって、本発明の第２実施例による仮想番号はＭＩＮ番号だけではなく、ＥＳＮ番号をともに含むことができる。
【００５１】
本発明によるＥＳＮ番号は、他社端末機に相応する実際ＥＳＮ番号を利用することもでき、仮想ＭＩＮのような仮想ＥＳＮ番号を割り当てて構成することもできる。
【００５２】
以下、図５を参照して本発明の第２実施例による仮想番号を利用した移動通信サービスシステムを説明することにするが、多様な移動通信サービスのうち無線ウェブサービスを中心に説明することとする。
【００５３】
図５を参照すれば、本発明の第２実施例による仮想番号を利用した移動通信サービス提供システムは、使用者端末機（５００ａ，５００ｂ）、基地局（５０５ａ，５０５ｂ）、移動通信サービス提供サーバー（５２０）及び無線ウェブサーバー（５４０）を含む。
【００５４】
使用者端末機（５００ａ，５００ｂ）は、他社使用者端末機（５００ａ）及び自社使用者端末機（５００ｂ）を含む。
【００５５】
他社使用者端末機（５００ａ）は、他社基地局（５０５ａ）、他社移動通信網（５１０ａ）及び他社加入者無線接続ゲートウェー（５２４）を経て自社の無線接続ゲートウェー（５２６）に接続することができる。
【００５６】
そして自社使用者端末機（５００ｂ）は、自社基地局（５０５ｂ）及び自社移動通信網（５１０ｂ）を経て自社の無線接続ゲートウェー（５２６）に接続することができる。自社無線接続ゲートウェー（５２６）に接続した使用者端末機（５００ａ，５００ｂ）は、自社の無線ウェブサーバー（５４０）に接続して多様な無線ウェブサービスを提供してもらうことができる。ここで、無線ウェブサーバー（５４０）は、無線インターネットの個別サービスのウェブサーバーを指称するし、一つ以上の無線ウェブサーバー（５４０−１，５４０−２，５４０−３,....）を含む。
【００５７】
移動通信サービス提供サーバー（５２０）は、仮想番号提供部（５２２）、他社加入者無線接続ゲートウェー（５２４）及び無線接続ゲートウェー（５２６）を含んで構成される。
【００５８】
仮想番号提供部（５２２）は、仮想番号を申し受けることを願う使用者に本発明による仮想番号をあらかじめ設定されている認証方法を通じて提供する。
【００５９】
他社無線接続ゲートウェー（５２４）は、他社番号及び仮想番号をマッピングする機能を遂行する。ここで、他社無線接続ゲートウェー（５２４）は他社番号にマッチングされた仮想番号を抽出して、上記抽出した仮想番号を利用して自社無線接続ゲートウェー（５２６）に無線ウェブサーバー（５４０）に対する接続を要請する。すなわち、他社端末機（５００ａ）が他社移動通信網（５１０ａ）を通じて最終的に他社無線接続ゲートウェー（５２４）に接続すれば、他社無線接続ゲートウェー（５２４）は仮想番号データベース（５２５）から仮想番号を抽出して、上記仮想番号を通じて自社無線接続ゲートウェー（５２６）に接続した後、既存の自社加入者のように処理する。そして、他社端末機（５００ａ）に送信される信号は、他社無線接続ゲートウェー（５２４）がまた他社信号で回答処理をするようにして他社加入者にサービスを支援することができる。
【００６０】
無線接続ゲートウェー（５２６）は、無線インターネットサービスを提供しているウェブサーバー（５４０）との接続処理及び課金処理機能を遂行する。そして、仮想番号を利用する他社加入者の無線インターネットの使用のために、各端末機に他社無線サイト接続のためのプロキシとポートを設定して、他社無線接続ゲートウェー（５２４）と接続できるように設定することができる。すなわち、他社端末機（５００ａ）から他社加入者無線接続ゲートウェー（５２４）までの区間は他社番号で処理するし、他社加入者無線接続ゲートウェー（５２４）から無線ウェブサーバー（５４０）の区間は仮想番号で処理するように構成される。
【００６１】
本発明の実施例による課金構造によれば、ネットワーク利用に対する課金は他社システムで遂行することができるし、自社ウェブサーバーから提供されるサービスに対する情報利用料課金は自社無線接続ゲートウェー（５２６）の課金部（５３０）で遂行することができる。
【００６２】
そして、移動通信サービス提供サーバー（５２０）は、上記移動通信サービス提供サーバー（５２０）に繋がれている仮想番号データベース（５２５）を具備していて、上記仮想番号データベース（５２５）は他社加入者の端末番号と仮想番号が１：１にマッチングされている。本発明によれば、上記仮想番号のマッチング関係は全体顧客のＤＢ上に構築することもできるし、ＨＬＲに収容することもできて、また別のＤＢで管理することもできる。割り当てられた仮想番号及び仮想番号に相応する顧客情報は、図８で説明することにする。
【００６３】
図６は、本発明の望ましい第２実施例による移動通信サービス提供手続きを示す図面である。
以下、図６を参照して、本発明による移動通信サービス提供手続きを説明することにする。
段階Ｓ６００で、他社加入者は他社端末機（５００ａ）を通じて他社無線接続ゲートウェー（５２４）に接続する。接続の際、他社端末機（５００ａ）は他社番号及び接続したいウェブサーバーに相応するサーバー識別字とを含む情報を送信するが、上記他社番号は他社ＭＩＮ及び他社ＥＳＮの中の少なくとも一つを含む。
【００６４】
段階Ｓ６０５で、他社無線接続ゲートウェー（５２４）は、上記他社番号に相応してあらかじめ設定されている仮想番号を抽出して、段階Ｓ６１０で、上記仮想番号を利用して自社無線接続ゲートウェー（５２６）に接続して接続しようとする無線ウェブサーバーの接続を要請する。段階Ｓ６１３で、自社無線接続ゲートウェー（５２６）は、サーバー識別字を抽出して接続しようとする無線ウェブサーバーを識別して、段階Ｓ６１５で、上記無線ウェブサーバーに接続する。
【００６５】
段階Ｓ６２０で、無線ウェブサーバーは、要請されたサービスを抽出して、段階Ｓ６２５で、無線接続ゲートウェー（５２６）に伝送すれば、段階Ｓ６３０で、自社無線接続ゲートウェー（５２６）はこれを再び他社無線接続ゲートウェー（５２４）に伝送する。
【００６６】
段階Ｓ６３５で、他社無線接続ゲートウェー（５２４）は上記仮想番号に相応する他社番号をマッピングして、上記他社番号を利用して上記サービスを他社端末機（５００ａ）に伝送することができる。
【００６７】
ここで、自社無線接続ゲートウェー（５２６）端末機の課金部（５３０）は、上記サービスに相応して課金を遂行することができる。
【００６８】
図７は、本発明の望ましい第２実施例による仮想番号提供手続きを示した図面である。
第１実施例のように本発明による他社加入者または端末機非所持者に対して移動通信サービスを提供するためには、仮想番号提供を通じる認証手続きが先行されなければならない。仮想番号付与を通じる顧客加入手続きは、オフライン、既存の顧客情報を通じる移動通信社間の契約による方法など多様である。
【００６９】
以下、図７では、仮想番号がＥＳＮ番号を含む場合の仮想番号提供手続きを説明することとする。
段階Ｓ７００で、他社端末機（５００ａ）は移動通信サービス提供サーバー（５２０）に仮想番号を要請するが、要請の際、他社番号及びＥＳＮ番号を送信するように構成することができる。以下、他社ＭＩＮ番号のみを送信する場合を中心に説明することにする。
【００７０】
段階Ｓ７２５で、仮想番号要請を受信した移動通信サービス提供サーバー（５２０）は、他社番号を含むＥＳＮ要請信号を他社加入者に相応する他社ＥＳＮ提供サーバーに送信する。
【００７１】
段階Ｓ７３０で、他社ＥＳＮ提供サーバーは上記他社ＭＩＮ番号に相応するＥＳＮ番号を抽出して、段階Ｓ７４０で、抽出したＥＳＮ番号を移動通信サービス提供サーバー（５２０）に送信する。
【００７２】
段階Ｓ７４０で、移動通信サービス提供サーバー（５２０）は仮想ＭＩＮ番号を生成するが、上記仮想ＭＩＮ番号及び実際ＥＳＮ番号を含む仮想番号を生成することができる。
【００７３】
段階Ｓ７４５で、移動通信サービス提供サーバー（５２０）は、割り当てた仮想番号を他社端末機（５００ａ）に送信すれば、段階Ｓ７５０で、他社端末機（５００ａ）は受信した仮想番号を端末機に表示することができる。
【００７４】
図８は、本発明の望ましい第２実施例による仮想番号マッピングテーブルを示した図面である。
本発明によれば、仮想番号データベース（５２５）は移動通信サービス提供サーバー（５２０）に繋がれていて、割り当てられた仮想番号及び仮想番号に相応する顧客情報を含んでいる。
【００７５】
図８を参照すれば、仮想番号テーブルは仕分けの項目（８００）、仮想番号項目（８０５）及び顧客情報項目（８１０）を含むことができる。
ここで、仮想番号項目（８０５）はＭＩＮ項目だけではなく、ＥＳＮ項目をともに含むことができる。それ以外の説明は図４と同一または類似しているのでその説明を略することとする。
【００７６】
本発明の技術思想が前記の実施例によって具体的に記述されたが、前記の実施例はその説明のためのことであってその制限のためではないし、本発明の技術分野に関する通常の専門家であれば、本発明の技術思想の範囲内で多様な実施例が可能であるということを理解できるだろう。
【産業上の利用可能性】
【００７７】
以上、上述したように本発明によれば、仮想番号を利用して他社加入者に、自社加入者と同一の移動通信サービスを提供することができる效果がある。すなわち、本発明は、端末機の入れ替えまたは他社に加入しなくても、他社の移動通信サービスを提供してもらうことができる。
【００７８】
また、本発明は、他社加入者に提供したサービスに相応して課金することにより、自社端末機を所持していない他社加入者を顧客に確保することができる効果がある。
【００７９】
また、本発明は仮想番号を利用して移動通信サービスを提供するにおいて、使用者に仮想番号を効率的に付与することができる方法及びその装置を提供することができる。
【００８０】
上記では本発明の望ましい実施例を参照して説明したが、当該技術分野で通常の知識を有する者であれば、下記の特許請求の範囲に記載した本発明の思想及び領域を脱しない範囲内で、本発明を多様に修正及び変更させられることを理解することができるだろう。
【図面の簡単な説明】
【００８１】
【図１】本発明の望ましい第１実施例による仮想番号を利用した移動通信サービス提供システムを示した図面である。
【図２】本発明の望ましい第１実施例による移動通信サービス提供手続きを示した図面である。
【図３】本発明の望ましい第１実施例による仮想番号提供手続きを示した図面である。
【図４】本発明の望ましい第１実施例による仮想番号マッピングテーブルを示した図面である。
【図５】本発明の望ましい第２実施例による仮想番号を利用した移動通信サービス提供システムを示した図面である。
【図６】本発明の望ましい第２実施例による移動通信サービス提供手続きを示した図面である。
【図７】本発明の望ましい第２実施例による仮想番号提供手続きを示した図面である。
【図８】本発明の望ましい第２実施例による仮想番号マッピングテーブルを示した図面である。トラックの追尾を試みる自動車を示す図である。
【符号の説明】
【００８２】
１００  使用者端末機
１２０  移動通信サービス提供サーバー
１４０  基地局
１５０  着信端末機
５００ａ  他社使用者端末機
５００ｂ  自社使用者端末機
５０５ａ  他社基地局
５１０ａ  他社移動通信網
５２４  他社加入者無線接続ゲートウェー
５２６  自社の無線接続ゲートウェー
【図１】
2008263618.tif 000003
【図２】
2008263618.tif 000004
【図３】
2008263618.tif 000005
【図４】
2008263618.tif 000006
【図５】
2008263618.tif 000007
【図６】
2008263618.tif 000008
【図７】
2008263618.tif 000009
【図８】
2008263618.tif 000010